(57)【要約】【課題】  要介護者、もしくは要支援者の携帯に便利で、身体から容易に離れることなく、かつ個人情報に係るＩＤを随時読取ることのできるＩＤ識別具を提供する【解決手段】  トレースコードを付した読み取り部を装着部材に設ける。該トレースコードは少なくとも該トレースコードの読み取り手段と、サーバーにリンクする通信手段と、個人情報を表示する表示手段とを具えるデータ端末装置による読み取りに供する。【選択図】図１
2017084317.tif 000002
【特許請求の範囲】
【請求項１】
トレースコードを付した読み取り部と、該読み取り部を設けた装着部材とによってなることを特徴とするＩＤ識別具。
【請求項２】
前記トレースコードがＱＲコードか、ＦＮＣタグか、もしくはＲＦＩＤから選択され、かつ該トレースコードを少なくとも該トレースコードの読み取り手段と、サーバーにリンクする通信手段と、個人情報を表示する表示手段とを具えるデータ端末装置によって読み取ることを特徴とする請求項１に記載のＩＤ識別具。
【請求項３】
前記トレースコードを付した読み取り部がキーホルダーに設けられることを特徴とする請求項１に記載のＩＤ識別具。
【発明の詳細な説明】
【技術分野】
【０００１】  この発明は、個人情報に係るＩＤを読取るトレースコードを付したＩＤ識別具に関する。
【背景技術】
【０００２】  高齢者、特に記憶障害者が所在不明になったり、もしくは屋外を徘徊したりする場合、運転免許証、または住基カードなどの身元を確認できる証明物を所持していないと、身元特定に時間がかかることがあり、甚だしくは生命の危険を招く場合もある。そこで、要介護者、もしくは要支援者の身元を識別する従来の方法として、被服、又は靴などにトレースコードを付して、これを読取る方法が考案された。【０００３】  但し、前掲の従来の方法は、トレースコードを付していない被服を着用しない場合、又はトレースコードを付していない靴を履いた場合は、身元を識別する効果が得られない。言い換えれば、これらトレースコードを付した衣服などの着用が身元を識別するための必須の条件となる。このため、要介護者、要支援者が着用する被服が限られ、使用上の不便を招くことがある。【０００３】  また、トレースコードを利用して個人情報を識別する方式に関して、特許公開２０００６−９７１５３号公報に開示する血液型のわかる医療用介護服は、介護服の縁取りに色で血液型を区別できるトリミング、パイピングを付け、かつポケットに名札入を作り、その中にバーコードを印した患者個人の情報を記入するものであって、即ち、医療ミスを軽減する介護服を作るために、血液型を色別に統一し、かつ個人の情報を取り込みバーコードで印したものをポケットに入れるものを設けてなる。【０００４】  但し、上述する介護服は、医療用のものであり、医療ミスを軽減することを目的とする。また、患者の情報を読取るためのバーコードはポケットに透明な名札入れ、該名札入れる名札に付す。即ち、ポケットにバーコードを付してなる名札を収納した名札入れを入れて携帯する方式である。係る方式は、該名札を遺失した場合、当然のことながら患者の情報を読取ることができなくなる。【０００５】  また、前記介護服は患者を対象者とするが、バーコードを付してなる名札を収納した該名札入れを記憶障害者に用いた場合は、ポケットに名札を入れ忘れることも十分考えられる。よって、応用できる範囲は病院の入院患者に限定される。【０００６】  したがって、要介護者、もしくは要支援者を対象として広く応用でき、かつ確実に使用者の個人情報を識別することができるとともに、使用上便利なＩＤ識別具が必要である。
【先行技術文献】
【０００７】
【特許文献】
【特許文献】  特許公開２０００６−９７１５３号公報
【発明の概要】
【発明が解決しようとする課題】
【０００８】  この発明は、要介護者、もしくは要支援者の携帯に便利で、身体から容易に離れることなく、かつ個人情報を随時読み取ることのできるＩＤ識別具を提供することを課題とする。
【課題を解決するための手段】
【０００７】  そこで、本発明者は従来の要介護者、もしくは要支援者の身元を識別する方法見られる欠点に鑑み鋭意研究を重ねた結果、トレースコードを付した読み取り部と、該読み取り部を設けた装着部材とによってなるＩＤ識別具によって課題を解決でできる点に着眼し、係る知見に基づいて本発明を完成させた。【０００８】  以下この発明について説明する。請求項１に記載するＩＤ識別具は、トレースコードを付した読み取り部と、該読み取り部を設けた装着部材とによってなる。【０００９】  前記装着部材は、例えばリストバンドであって、装着が容易で、かつ使用者の手首から外れにくいものである。係る構造によって、個人情報を随時読取るという目的と、携帯に便利で、身体から容易に離れることがないという目的を達成することができる。【００１０】  請求項２に記載するＩＤ識別具は、請求項１におけるトレースコードがＱＲコードか、ＦＮＣタグか、もしくはＲＦＩＤから選択され、かつ該トレースコードを少なくとも該トレースコードの読み取り手段と、サーバーにリンクする通信手段と、個人情報を表示する表示手段とを具えるデータ端末装置によって読み取る。【００１１】  上述するように、この発明によるＩＤ識別具は、例えば携帯電話機などのデータ端末装置によってトレースコードを読み取ることができ、随時個人情報を得ることができる。【００１２】  請求項３に記載するＩＤ識別具は、請求項１におけるトレースコードを付した読み取り部がキーホルダーに設けられる。【００１３】  上述する構造によれば、リストバンドの装着を使用者が嫌った場合でも、トレースコードを付した読み取り部を具えるキーホルダーとして所持することができ。また、所持品などに取り付けて遺失防止用とするなど、応用範囲を拡張することができる。
【発明の効果】
【００１４】  この発明によるＩＤ識別具は、簡易な構造で、製造コストを節減できるため、商品としての競争能力を高め、普及を促進できるという効果を具え、また、例えばキーホルダーの形態にすることによって、遺失防止用とすることも可能であって、広い応用性を具えるという効果をも有する。
【図面の簡単な説明】
【００１５】
【図１】  この考案によるＩＤ識別具の平面図である。
【図２】  図１に開示するＩＤ識別具の使用態様を示した説明図である。
【図３】  他の実施の形態によるＩＤ識別具を示した正面図である。
【図４】  この発明におけるＩＤ識別の方法を示したフローチャートである。
【発明を実施するための形態】
【００１６】この発明は、要介護者、もしくは要支援者の携帯に便利で、身体から容易に離れることなく、かつ個人情報に係るＩＤを随時読取ることのできるＩＤ識別具を提供するものであって、トレースコードを付した読み取り部を装着部材に設けてなる。該トレースコードは少なくとも該トレースコードの読み取り手段と、サーバーにリンクする通信手段と、個人情報を表示する表示手段とを具えるデータ端末装置による読み取りに供する。係るＩＤ識別具の特徴を説明するために、具体的な実施例を挙げ、図面を参照にして以下に詳述する。
【実施例】
【００１７】  図１、図２に開示するように、この発明によるＩＤ識別具は、リストバンドの形態を構成してなり、トレースコード１をプリントした読み取り部２と、読み取り部２を設けた装着部材３とによってなる。【００１８】  実施例において装着部材３はバンドであって、かつバックル部３１を設ける、バックル部３１は、図面に開示するように布ベルト用バックルを用いるが、但し、装着部材３の両端を連結し、容易に外れないという目的が達成できるものであれば、尾錠止、もしくはその他形式のバックルであってもよい。【００１９】  また、装着部材３は、読み取り部２を腕に取り付けるという目的が達成できれば、アンクルバンドであってもよい。【００２０】  また、この発明によるＩＤ識別具は、図３に開示するように、キーホルダーの形態であってもよい。この場合、キーホルダー本体４にトレースコード１をプリントするとともに、文字表示部４１を設けて、トレースコード１が個人情報を識別するためのものであることを文字で表示してもよい。【００２１】  この発明によるＩＤ識別具は、別途サーバー（図示しない）にデータベースを設け、該データベースに個人情報を保存して、ＩＤの識別に供する。該サーバーは、ファイルサーバーであってもよく、ウェブサーバーであってもよい。また、該個人情報には、少なくとも氏名、年齢、住所、電話番号、緊急連絡先、血液型を含む。【００２２】  トレースコード１は、図面に開示するようにＱＲコードであるが、但し、ＦＮＣタグ、もしくはＲＦＩＤでもよい。【００２２】  図４に開示するように、この発明による識別具を使用する場合は、少なくともトレースコードの読み取り手段と、サーバーにリンクする通信手段と、個人情報を表示する表示手段とを具えるデータ端末装置（図示しない）を用い、ａのステップにおいてトレースコードを読み取る。【００２３】  次いで、ｂのステップにおいてサーバーにリンクして読取ったトレースコードに係る情報を該サーバーに送信する。【００２４】  次いで、ｃのステップにおいて受信したトレースコードに係る情報に基づき、サーバーから該当する個人情報を送信する。【００２５】  次いで、サーバーの送信する個人情報を受信しデータ端末装置に表示してＩＤ認識に供する。【００２６】  以上は、この発明の好ましい実施の形態であって、この発明の実施の範囲を限定するものではない。よって、この発明の精神の下においてなされ、この発明に対して均等の効果を有する変更、修正などは、いずれもこの発明の特許請求の範囲に属するものとする。
【符号の説明】
【００３５】１                トレースコード
２                読み取り部
３                装着部材
３１              バックル部
４                キーホルダー本体
４１              文字表示部
【図１】
2017084317.tif 000003
【図２】
2017084317.tif 000004
【図３】
2017084317.tif 000005
【図４】
2017084317.tif 000006